(57)【要約】【課題】簡易的に遠隔地からの高齢者の安否を確認できる携帯電話機を提供する。【解決手段】高齢者が携帯電話機１を充電器２に接続すると、予め設定した携帯電話機３に、情報通信ネットワーク４を介して安否確認メッセージを自動送信する。高齢者が所定の操作をすれば、予め設定したメッセージ送信先にメッセージを送信するように構成されているので、大掛かりなシステムを必要とせず、安否確認メッセージを受け取った携帯電話機３の所持者は簡易的に高齢者の安否を確認することができる。【選択図】図１
2007097017.tif 000002
【特許請求の範囲】
【請求項１】
所定の操作に応答して、予め設定したメッセージ送信先に安否確認メッセージを自動送信する手段を備えることを特徴とする携帯電話機。
【請求項２】
前記所定の操作は、前記携帯電話機を充電器に接続する操作であることを特徴とする請求項１に記載の携帯電話機。
【請求項３】
前記所定の操作は、前記携帯電話機を充電器から離脱する操作であることを特徴とする請求項１に記載の携帯電話機。
【請求項４】
前記所定の操作は、前記携帯電話機の所定のキー操作であることを特徴とする請求項１に記載の携帯電話機。
【請求項５】
前記所定のキー操作は、前記携帯電話機の電源スイッチをオンする操作であることを特徴とする請求項４に記載の携帯電話機。
【請求項６】
前記所定のキー操作は、前記携帯電話機の電源スイッチをオフする操作であることを特徴とする請求項４に記載の携帯電話機。
【請求項７】
前記所定のキー操作は、前記携帯電話機の通話スイッチによる発信操作であることを特徴とする請求項４に記載の携帯電話機。
【請求項８】
前記所定のキー操作は、前記携帯電話機の通話スイッチによる着信操作であることを特徴とする請求項４に記載の携帯電話機。
【請求項９】
前記メッセージ送信先は、別の携帯電話機であることを特徴とする請求項１から８の何れかに記載の携帯電話機。
【請求項１０】
前記メッセージ送信先は、パーソナルコンピュータであることを特徴とする請求項１から８の何れかに記載の携帯電話機。
【請求項１１】
前記安否確認メッセージが送られた後、所定の通知期間経過前は、前記所定の操作が行われても前記安否確認メッセージを再度送信しない機能をさらに備えることを特徴とする請求項１から１０の何れかに記載の携帯電話機。
【請求項１２】
前記安否確認メッセージの送信の成功若しくは失敗を表示部に表示する機能をさらに備えることを特徴とする請求項１から１１の何れかに記載の携帯電話機。
【請求項１３】
前記安否確認メッセージの送信が失敗した場合には、前記安否確認メッセージを自動的に再度送信する機能をさらに備えることを特徴とする請求項１から１２の何れかに記載の携帯電話機。
【発明の詳細な説明】
【技術分野】
【０００１】
本発明は、一人暮らしの高齢者等の安否を遠隔地から確認できる携帯電話機に関する。
【背景技術】
【０００２】
従来のシステムにおいては、ユーザー宅のホーム端末にその家屋に設置されている各種の家電機器と通信して使用態様データを蓄積し、情報ネットワークを通じて家人ケア用サーバーに伝送させ、家人ケア用サーバは受信したユーザーごとの家電機器の使用態様を分析し、生活態様に異変が起きていないかどうかを推定する。そして異変が起きていると推定される場合には、警報を出力するようにしている（例えば、特許文献１参照）。
【０００３】
【特許文献１】特開２００２−９２７６７号公報
【発明の開示】
【発明が解決しようとする課題】
【０００４】
しかしながら、従来のシステムは、以上のような構成を備えているので大掛かりであり、システムを管理するための管理機関が必要になるという問題があった。
【０００５】
そこで、本発明は、上記の問題点に鑑みて為されたものであり、簡易的に遠隔地からの高齢者の安否を確認できる携帯電話機を提供する。
【課題を解決するための手段】
【０００６】
請求項１に記載の携帯電話機は、所定の操作に応答して、予め設定したメッセージ送信先に安否確認メッセージを自動送信する手段を備えることを特徴とする。
【発明の効果】
【０００７】
請求項１に記載の携帯電話機によれば、高齢者が所定の操作をすれば、予め設定したメッセージ送信先にメッセージを送信するように構成されているので、管理機関が不要となり、既存のシステムのみで簡易的に高齢者の安否を確認することができる。
【発明を実施するための最良の形態】
【０００８】
＜実施の形態１＞
＜Ａ．構成＞
図１は、本実施の形態１に係る携帯電話機１を用いたシステムの構成を示す図である。
【０００９】
図１に示すように、高齢者の携帯電話機１が充電器２に接続されると、安否確認メッセージ（以下単に「メッセージ」と称する場合がある。）が自動送信され、送信された安否確認メッセージは、情報通信ネットワーク４を介して送信先の携帯電話機３により受信されるように構成されている。
【００１０】
安否確認メッセージは、例えば、音声メール若しくは文字メール等であり、その内容は、「登録された携帯電話は、充電器に接続されました。」等である。
【００１１】
また、携帯電話機１は、表示部１Ａを備えている。そして、携帯電話機１の内部には見守り通知機能部５が備えられている。
【００１２】
＜Ｂ．動作＞
次に、図２を参照して、本実施の形態１に係る携帯電話機１の動作について説明する。図２は、本実施の形態１に係る携帯電話機１の動作を示すブロック図である。
【００１３】
高齢者の携帯電話機１が充電器２に接続されると、見守り通知機能部５内の操作検出部５ａは、接続通知信号を検出する。
【００１４】
ここで、高齢者が、携帯電話機１を充電器２に接続する操作は、高齢者の安否に問題が無いということを意味する。
【００１５】
接続通知信号を検出した後、操作検出部５ａは、見守り通知処理部５ｂに処理の開始を指令する処理開始信号を出力する。
【００１６】
処理開始信号が入力されると、見守り通知処理部５ｂは、現時点でメッセージ送信が必要か否かを判定する。すなわち、後述する通知間隔を経過しているか否かを判定する。
【００１７】
メッセージ送信が必要と判定した場合は、見守り通知処理部５ｂは、メッセージ送信処理部６に送信処理信号を出力する。ここで、メッセージ送信処理部６は携帯電話機１内部に備えられている。
【００１８】
送信処理信号を受けると、メッセージ送信処理部６は、予め設定された送信先電話番号の携帯電話機３にメッセージを送信する。メッセージを受け取った携帯電話機３の所持者は、遠隔地の高齢者の安否を確認する。
【００１９】
また、メッセージ送信処理部６は、メッセージ送信が成功したか失敗したかを見守り通知処理部５ｂに通知する。
【００２０】
見守り通知処理部５ｂは、メッセージ送信が成功したか否かに応じて、送信送信成功／失敗の表示を携帯電話機１の表示部１Ａに表示する。また、送信失敗の場合は、メッセージ送信処理部６は、自動的に再送信を行う。
【００２１】
次に、図３，４を参照して、携帯電話機１の設定からメッセージ送信までの一連の動作例について説明する。まず、図３のフロチャートを参照して、携帯電話機１の設定方法について説明する。
【００２２】
まず、ステップＳ３１では、高齢者の携帯電話機１において、見守り通知機能を使用するか否かのＯＮ／ＯＦＦ設定をする。
【００２３】
次に、見守り通知機能の設定をＯＮとした場合は、メッセージを送信する送信先電話番号の設定をする（ステップＳ３２）。
【００２４】
次に、ステップＳ３３では、高齢者の携帯電話機１が充電器２に接続されメッセージが自動送信された後、再度、充電器２に接続されてもメッセージの自動送信を行わない期間（通知間隔）の設定を行う。
【００２５】
続いて、以上のように携帯電話機１が設定された後の動作を図４を参照して説明する。図４は、携帯電話機１の動作を説明するためのフローチャート図である。
【００２６】
まず、ステップＳ４１では、高齢者の携帯電話機１が充電器２に接続される。次に、ステップＳ４２では、送信先電話番号の携帯電話機３に自動的にメッセージが送信される。そして、ステップＳ４３では、送信成功／失敗の表示が高齢者の携帯電話機１の表示部１Ａに表示される。メッセージの送信が成功すると、それ以降のメッセージの自動送信は、通知間隔経過後に行われる。
【００２７】
なお、本実施の形態１に係る携帯電話機１では、メッセージ送信先として携帯電話機３としている。しかし、携帯電話機３の代わりにその他のメッセージ閲覧手段でもよく、例えば、パーソナルコンピュータや携帯電話機３のメールアドレスに送信させるようにしてもよい。また、充電器２への接続する操作の代わりに充電器２からの離脱の操作で自動的に安否確認メッセージを送信してもよい。
【００２８】
＜Ｃ．効果＞
本実施の形態１に係る携帯電話機１によれば、所定の操作に応答して、予め設定したメッセージ送信先にメッセージを送信する手段を備えているので、送信メッセージを作成するための管理機関が不要となり、既存のシステムのみで簡易的に高齢者の安否を送信先に通知することができる。
【００２９】
また、高齢者等の安否確認のための追加コストは、メッセージ送受信の通信コストのみであり安価である。
【００３０】
また、見守り通知機能付き携帯電話機１において、高齢者等が行う操作としては、携帯電話機１を充電器２に接続若しくは離脱するのみであり高齢者等に負担をかけない。
【００３１】
本実施の形態１に係る携帯電話機１のメッセージ送信先は、別の携帯電話機３であるので、送信先が移動中等であったとしても、携帯電話機３を携帯している限り高齢者からのメッセージを受け取ることができる。
【００３２】
本実施の形態１に係る携帯電話機１は、メッセージを送った後に、所定の通知間隔経過前は、充電器２に携帯電話機１を接続する操作が行われても、メッセージを再度送信しないように構成されている。そのため、通知間隔を適当に設定することで、充電器２に接続される度にメッセージが送られるのではなく、例えば、１日に一度メッセージを送信するように設定できる。
【００３３】
本実施の形態１に係る携帯電話機１は、メッセージの送信の成功若しくは失敗を表示部１Ａに表示する機能を備えている。そのため、メッセージが送信先に送信されたかを容易に確認することができる。
【００３４】
本実施の形態１に係る携帯電話機１は、メッセージの送信が失敗した場合、メッセージを自動的に再度送信する機能を備えているので、確実にメッセージを送信先に送ることができる。
【００３５】
＜実施の形態２＞
図５は、本実施の形態２に係る携帯電話機１を用いたシステムの構成を示す図である。
【００３６】
実施の形態１に係る携帯電話機１では、高齢者等が行う操作として携帯電話機１の充電器２への接続としたが、図５に示すように、電源スイッチ１ＢのＯＮ操作のような携帯電話機１の所定のキー操作であってもよい。
【００３７】
本実施の形態２に係る携帯電話機１は、以上のように構成されているので、実施の形態１と同様の効果を奏するとともに、充電器２が無い場合であっても安否確認メッセージを自動送信することができる。
【００３８】
ここで、安否確認メッセージは、例えば、「登録された携帯電話機の電源スイッチが今オンされました。」等を内容とする音声メールもしくは文字メール等である。
【００３９】
なお、電源スイッチ１ＢのＯＮ操作の代わりにＯＦＦ操作であってもよい。また、本実施の形態２に係る携帯電話機１では、所定のキー操作として電源スイッチ１ＢのＯＮ／ＯＦＦ操作としたが、特に電源スイッチ１Ｂの操作である必要はなく、携帯電話機１の別のキー操作であってもよい。
【００４０】
さらに、実施の形態１の構成と組み合わせてもよい。すなわち、携帯電話機１の充電器２への接続／離脱、電源スイッチ１ＢのＯＮ／ＯＦＦ操作の何れかが行われると安否確認メッセージを送信するように構成してもよい。
【００４１】
＜実施の形態３＞
図６は、本実施の形態３に係る携帯電話機１を用いたシステムの構成を示す図である。
【００４２】
実施の形態１に係る携帯電話機１では、高齢者等が行う操作として充電器２に接続としたが、図６に示すように、通話スイッチ１Ｃによる発信操作のような携帯電話機１の所定のキー操作であってもよい。
【００４３】
例えば、高齢者が通話スイッチ１Ｃよる発信操作を開始すると、まず、予め設定した送信先に安否確認メッセージを送信し、その後通話相手に発信できるように携帯電話機１を構成する。
【００４４】
ここで、安否確認メッセージは、例えば、「登録された携帯電話機の通話スイッチが今オンされました。」等を内容とする音声メールもしくは文字メール等である。
【００４５】
本実施の形態３に係る携帯電話機１は以上の構成を備えているので、実施の形態１と同様の効果を奏するとともに、充電器２が無い場合であってもメッセージを送信することができる。
【００４６】
なお、発信操作の代わりに通話スイッチ１Ｃによる着信応答であってもよい。また、本実施の形態３に係る携帯電話機１では、所定のキー操作として通話スイッチ１Ｃの発信／着信応答操作としたが、特に通話スイッチ１Ｃの操作である必要はなく、携帯電話機１の別のキー操作であってもよい。
【００４７】
さらに、実施の形態１，２の構成と組み合わせてもよい。すなわち、携帯電話機１の充電器２への接続／離脱、電源スイッチ１ＢのＯＮ／ＯＦＦ操作、通話スイッチ１Ｃの発信／着信応答操作の何れかが行われると、安否確認メッセージを送信するように構成してもよい。
【図面の簡単な説明】
【００４８】
【図１】実施の形態１に係る携帯電話機を用いたシステムの構成を示す図である。
【図２】実施の形態１に係る携帯電話機の動作を示すブロック図である。
【図３】実施の形態１に係る携帯電話機の設定方法を示すフローチャートである。
【図４】実施の形態１に係る携帯電話機の動作を示すフローチャートである。
【図５】実施の形態２に係る携帯電話機を用いたシステムの構成を示す図である。
【図６】実施の形態３に係る携帯電話機を用いたシステムの構成を示す図である。
【符号の説明】
【００４９】
１，３  携帯電話機、１Ａ  表示部、１Ｂ  電源スイッチ、１Ｃ  通話スイッチ、２  充電器、４  情報通信ネットワーク、５  見守り通知機能部、５ａ  操作検出部、５ｂ  見守り通知処理部、６  メッセージ送信処理部。
【図１】
2007097017.tif 000003
【図２】
2007097017.tif 000004
【図３】
2007097017.tif 000005
【図４】
2007097017.tif 000006
【図５】
2007097017.tif 000007
【図６】
2007097017.tif 000008